(57)【特許請求の範囲】
【請求項１】
天板を支持するフレーム構造体に、本体部が天板上方へ突出した位置に配置されるオプション部材を取り付けるためのものであって、
フレーム構造体が、対をなす平行なフレームを具備してなるものであり、その一方のフレームにオプション部材の下端部の一部を取り付けると共に、これらフレーム間に補強ビームを架設して、この補強ビームにオプション部材の下端部の他の一部を取り付けるようにしていることを特徴とするオプション取付構造。
【請求項２】
各フレームが、対向壁にレール溝を連続開口させたものであり、そのレール溝を通過し且つレール溝に沿って移動可能な位置に可動ナットを配置するとともに、この可動ナットの基端側をレール溝から抜脱し得ないように裏当材により支持し、その可動ナットに補強ビームの対応端部をねじ止めすることによって、補強ビームの端部と裏当材との間に起立壁を挟み込んだ状態で該補強ビームをフレーム間に取り付け得るようにしている請求項１記載のオプション取付構造。
【請求項３】
補強ビームの端部に鍔状の取付板部を形成し、この取付板部の２ヶ所をレール溝に配置した可動ナットにねじ止めするようにしたものであって、レール溝の開口縁部間に、前記取付板部のねじ止め箇所の対応位置にナット通過孔を有する位置決め板を収容し、そのナット通過孔に可動ナットを通過させた状態で、フレームの対向壁間に補強ビームを挿入し、取付板部のねじ止め箇所に挿入したねじを対応位置に位置決めした可動ナットにねじ止めするようにしている請求項２記載のオプション取付構造。
【請求項４】
補強ビームの端部に鍔状の取付板部を形成し、この取付板部の２ヶ所をレール溝に配置した可動ナットにねじ止めするようにしたものであって、可動ナットを扁平な外形を有するものにする一方、取付板部のねじ止め箇所に、入口が可動ナットの短軸側の外形寸法にほぼ対応し内方端が可動ナットの長軸側の外形寸法にほぼ対応する切欠孔を設け、フレームの対向壁間に補強ビームを挿入した状態で、各取付板部の切欠孔の入口から可動ナットを挿入し内方端で回転させて、取付板部のねじ止め箇所に挿入したねじをその可動ナットにねじ止めするようにしている請求項２記載のオプション取付構造。
【請求項５】
裏当材が、レール溝の開口を通過させた後に所定角度回転させることによって、レール溝の開口の両側に位置する上下の起立壁の内面に跨がる位置に位置決め状態で配置し得るようにしている請求項２，３又は４記載のオプション取付構造。
【請求項６】
オプション部材の下端部の他の一部を補強ビームにねじ止め固定し、下端部の一部を、当該一部にねじ込んだねじの押し付け力を利用してフレームに締め付け固定するようにしている請求項１，２，３，４又は５記載のオプション取付構造。
【請求項７】
オプション部材の下端部の一部を、フレームを抱え込むようなチャネル部を有するものにし、そのチャネル部を構成する一方の対向片にねじ込んだねじをチャネル部内に収容したフレームに押し付けて、ねじと他方の対向片とで該チャネル部をフレームに締め付け固定するようにしている請求項６記載のオプション取付構造。
【請求項８】
オプション部材の下端部が、オプション部材本体に対して着脱可能なオプション取付具により構成されている請求項６又は７記載のオプション取付構造。
【請求項９】
天板とフレーム構造体の間に隙間を形成し、この隙間を介して、オプション部材の下端部をフレーム構造体のフレームに支持させる位置に挿入し得るようにしている請求項１，２，３，４，５，６、７又は８記載のオプション取付構造。
【請求項１０】
オプション部材が、カウンター天板をオプション部材本体とするものである請求項１，２，３，４，５，６，７、８又は９記載のオプション取付構造。
【発明の詳細な説明】
【０００１】
【発明の属する技術分野】
本発明は、カウンター天板のような偏荷重の作用するオプション部材をフレーム構造をなす机やテーブルに確実に取り付け得るようにしたオプション部材の取付構造に関するものである。
【０００２】
【従来の技術】
机やテーブルの種類の一つとして、天板を支持する構造体がフレーム構造をなしているものが知られている。このようなフレーム構造を有する机などにオプション部材を取り付ける場合、従来では、オプション部材の下端部をフレームの一部に食わえ込ませるように係合させ、適宜位置をフレームにねじ止め固定することによって、オプション部材をフレームに支持させるようにしている。
【０００３】
【発明が解決しようとする課題】
ところが、オプション部材が、天板上方へ突出した位置に配置されるカウンター天板等を備える場合は、カウンター天板の偏荷重によって、フレームに部材強度を越えたねじり力が作用する場合がある。このため、単にフレームにねじ止め固定しているだけでは、フレームの変形によるカウンター天板の取付構造の破損、ひいては机自体の機能の損壊を招く恐れがあり、より強固なオプション取付構造を新たに採用することが望まれる。
【０００４】
【課題を解決するための手段】
上記の課題を解決するために、本発明は、次のような手段を講じたものである。
【０００５】
すなわち、本発明のオプション取付構造は、天板を支持するフレーム構造体に、本体部が天板上方へ突出した位置に配置されるオプション部材を取り付けるにあたり、フレーム構造体を、対をなす平行なフレームを具備するものにし、その一方のフレームにオプション部材の下端部の一部を取り付けると共に、これらフレーム間に補強ビームを架設して、この補強ビームにオプション部材の下端部の他の一部を取り付けるようにしていることを特徴とする。
【０００６】
このようなものであれば、オプション部材の荷重は、フレーム及び補強ビームの２ヶ所に支持されることになる。このため、偏荷重が作用しても、１ヶ所にねじり力が集中することを回避することができ、ねじり剛性を有効に高めることが可能になる。
【０００７】
補強ビームの取付位置の自在性を確保し、また既存のフレーム構造体に別段の加工を施すことを不要にするためには、各フレームが、対向壁にレール溝を連続開口させたものであり、そのレール溝を通過し且つレール溝に沿って移動可能な位置に可動ナットを配置するとともに、この可動ナットの内方端側をレール溝から抜脱し得ないように裏当材により支持し、その可動ナットに補強ビームの対応端部をねじ止めすることによって、補強ビームの端部と裏当材との間に起立壁を挟み込んだ状態で該補強ビームをフレーム間に取り付け得るようにしていることが好ましい。
【０００８】
この場合の具体的な実施の一形態としては、補強ビームの端部に鍔状の取付板部を形成し、この取付板部の２ヶ所をレール溝に配置した可動ナットにねじ止めする構造のものであり、レール溝の開口縁部間に、前記取付板部のねじ止め箇所の対応位置にナット通過孔を有する位置決め板を収容し、そのナット通過孔に可動ナットを通過させた状態で、フレームの対向壁間に補強ビームを挿入し、取付板部のねじ止め箇所に挿入したねじを対応位置に位置決めした可動ナットにねじ止めするようにしているものが挙げられる。
【０００９】
また、具体的な実施の他の形態としては、補強ビームの端部に鍔状の取付板部を形成し、この取付板部の２ヶ所をレール溝に配置した可動ナットにねじ止めする構造のものであり、可動ナットを扁平な外形を有するものにする一方、取付板部のねじ止め箇所に、入口が可動ナットの短軸側の外形寸法にほぼ対応し内方端が可動ナットの長軸側の外形寸法にほぼ対応する切欠孔を設け、フレームの対向壁間に補強ビームを挿入した状態で、各取付板部の切欠孔の入口から可動ナットを挿入し内方端で回転させて、取付板部のねじ止め箇所に挿入したねじを対応位置に位置決めされた可動ナットにねじ止めするようにしているものが挙げられる。
【００１０】
裏当材の好ましい形態としては、レール溝の開口を通過させた後に所定角度回転させることによって、レール溝の開口の両側に位置する上下の起立壁の内面に跨がる位置に位置決め状態で配置し得るようにしているものが挙げられる。
【００１１】
既存のフレーム構造体に別段の加工を施すことなく、オプション部材の下端部をフレームに取り付けるためには、オプション部材の下端部の他の一部を補強ビームにねじ止め固定し、下端部の一部を、当該一部にねじ込んだねじの押し付け力を利用してフレームに締め付け固定するようにしているものが望ましい。
【００１２】
具体的な実施の態様としては、オプション部材の下端部の一部を、フレームを抱え込むようなチャネル部を有するものにし、そのチャネル部を構成する一方の対向片にねじ込んだねじをチャネル部内に収容したフレームに押し付けて、ねじと他方の対向片とで該チャネル部をフレームに締め付け固定するようにしているものが挙げられる。
【００１３】
取付作業を簡便に行い得るようにするためには、オプション部材の下端部が、オプション部材本体に対して着脱可能なオプション取付具により構成されていることが望ましい。
【００１４】
具体的な構造としては、天板とフレーム構造体の間に隙間を形成し、この隙間を介して、オプション部材の下端部をフレーム構造体のフレームに支持させる位置に挿入し得るようにしているものが挙げられる。
【００１５】
本発明は、以上のような構成であるから、カウンター天板がオプション部材本体とするものに適用して極めて有用なものとなり得る。
【００１６】
【発明の実施の形態】
以下、本発明の一実施形態を、図面を参照して説明する。
【００１７】
この実施形態の机は、図１〜図３に示すように、４本の脚支柱１の上端間をフレーム構造体２を介して連結し、そのフレーム構造体２に天板３を支持させることにより構成されるものである。
【００１８】
脚支柱１は、角パイプ状のもので、矩形状天板３の四隅若しくはその近傍の下面に上端を対向させて配設される。一方、フレーム構造体２は、前後の脚支柱１の上端近傍における対向面間を奥行方向に沿って連結する一対の側フレーム２１と、後端側に配置される左右の脚支柱１の上端近傍における対向面間を巾方向に沿って連結する後フレーム２２と、左右の側フレーム２１の中央よりもやや後方よりの対向面間を巾方向に沿って連結する中間フレーム２３とを具備してなるもので、各脚支柱１と共に拘束し合って自立性のある構造体を構成している。
【００１９】
フレーム２１、２２は、アルミ等の剛性のある素材からなる押出成形体を所要長さで切断したもので、図４に示すような等断面を有している。この断面に現れているように、フレーム２１、２２は、角パイプ材を構成する上壁２ａ、底壁２ｂ及び左右の側壁２ｃと、これら両側壁２ｃの間を仕切る２つの内壁２ｄとを有している。しかして、前記上壁２ａ、底壁２ｂ及び一対の内壁２ｃによって囲繞される中空部２ｅは、当該フレーム２１、２２を脚支柱１に取り付けるための空間であり、予め脚支柱１の壁面に図２に破線で示すアーム２ｘを取り付けておき、このアーム２ｘを前記中空部２ｅに挿入してフレーム２１、２２全体をアーム２ｘに外嵌し、所要箇所をねじ止めすることによって、フレーム２１、２２と脚支柱１とをアーム２ｘを介して連結している。中間フレーム２３も基本的には同様のものである。
【００２０】
しかして、本実施形態は、押出成形時にフレーム２１、２２の一方の側壁２ｃ、及び中間フレーム２３の両側の側壁２ｃの中央に、長手方向に沿って延びるレール溝２ｆを連続開口させており、これらのレール溝２ｆの適宜箇所に図２に示す取付具４を取り付け、この取付具４を利用して天板３を支持させるようにしている。なお、天板取付状態で、天板１とフレーム構造体２との間に一定の隙間Ｓが形成されるようにしてある。
【００２１】
以上の構成において、本実施形態は、前記フレーム構造体２に、本体部たるカウンター天板５１が天板上方へ突出した位置に配置されるオプション部材５を取り付けるようにしている。
【００２２】
具体的に説明すると、このオプション取付構造は、フレーム構造体２のうち対をなす平行な後フレーム２２及び中間フレーム２３を利用するもので、図２〜図４に示すように、後フレーム２２にオプション部材５の下端部５２の一部を取り付けると共に、後フレーム２２と中間フレーム２３の間に補強ビーム６を架設し、この補強ビーム６にオプション部材５の下端部５２の他の一部を取り付けるようにしている。
【００２３】
補強ビーム６の取り付けに際して、レール溝２ｆを通過し且つレール溝２ｆに沿って移動可能な位置に可動ナット６１を配置するとともに、この可動ナット６１の基端側をレール溝２ｆから抜脱し得ないように裏当材６２により支持している。そして、その可動ナット６１に補強ビーム６の対応端部６aをねじ止めすることによって、補強ビーム６の端部６aと裏当材６２との間に起立壁である側壁２ｃを挟み込んだ状態で補強ビーム６を取り付け得るようにしている。
【００２４】
可動ナット６１は、前記レール溝２ｆの上下巾寸法内に収まる外形を有した円筒体状のもので、軸心位置にめねじ６１aが形成されている。
【００２５】
裏当材６２は、前記可動ナット６１の基端側に一体に若しくは強固に取り付けられているもので、概略平行四辺形状をなし、上辺６２aから下辺６２ｂまでの最短距離は後フレーム２２及び中間フレーム２３の上壁２ａと底壁２ｂとの内法寸法に略対応し、上辺６２aの右半部及び下辺６２ｂの左半部に前記ねじ孔６１aと軸心の一致するＲ面６２ｃを形成し、側辺６２ｄから側辺６２ｄまでの最短距離は後フレーム２２及び中間フレーム２３のレール溝２ｆの開口巾よりも若干小さい寸法に設定されている。
【００２６】
補強ビーム６は、角パイプ状のもので、端部６aに鍔状の取付板部６０を形成し、この取付板部６０の左右に突出した２ヶ所にねじ通過孔６０aを設けており、このねじ通過孔６０aを利用して、該補強ビーム６の端部６aをレール溝２ｆに配置した可動ナット６１にねじ止めするようにしている。
【００２７】
また、この実施形態は、補強ビーム６を前記可動ナット６１にねじ止めするにあたり、間に位置決め板６３を介在させるようにしている。位置決め板６３の巾寸法及び肉厚寸法は、レール溝２ｆの開口縁部間に収容した際に、両面が起立壁である側壁２ｃとほぼ面一となり、上下縁がレール溝２ｆの開口縁に沿って緊密に配置される値に設定されており、前記取付板部６０のねじ通過孔６０aの対応位置にナット通過孔６３aが設けてある。
【００２８】
次に、補強ビーム６の後フレーム２２及び中間フレーム２３への取付手順について説明する。先ず、図５に示すように、裏当材６２の側辺６２ｄが上下縁となる方位に配置して、該裏当材６２をレール溝２ｆの開口に通過させる。そして、通過した位置で裏当材６２を同図中矢印で示すようにほぼ９０度回転させることによって、レール溝２ｆを越えて上下の側壁２ｃの内面に跨がる位置に当接させる。裏当材６２は、このとき上辺６２a及び下辺６２ｂが所定位置で後フレーム２２及び中間フレーム２３の上壁２ａ及び底壁２ｂの各内面に当接し得るように設定されている。Ｒ面６２ｃはこの回転時の挙動を干渉なく行い得る逃げとなるものである。
【００２９】
また、かかる裏当材６２のセッティングの前後において、位置決め板６３のナット挿入孔６３aに可動ナット６１を挿入して、該位置決め板６３をレール溝２ｆの開口縁部間に位置づける。可動ナット６１の裏当材６２からの突出寸法は、位置決め板６３の肉厚寸法よりも大きく、かつ位置決め板６３の肉厚寸法と取付板部６１の肉厚寸法の総和よりも小さくなるように設定されている。また、裏当材６２の肉厚寸法は、レール溝２ｆの内部に収容された状態で前記可動ナット６１が位置決め板６３のナット通過孔６３aから脱落しない範囲で同肉厚方向にある程度移動できる程度の遊びが生じるように設けてある。そして、可動ナット６１の先端が位置決め板６３内に没入する位置まで裏当材６２を後退させた状態（図６の位置よりも右側へ変位した状態）で、フレーム２２，２３の側壁２ｃ間に補強ビーム６を挿入し、補強ビーム６の端部６aに設けた取付板部６０のねじ通過孔６０aと前記位置決め板６３aのナット通過孔６３aとを合致させた状態で、取付板部６０のねじ通過孔６０aに挿入したねじｖ１を可動ナット６１にねじ込むことにより、可動ナット６１を取付板部６０のねじ通過孔６０a内に引き込みつつ、取付板部６０と裏当材６２との間に側壁２ｃを挟み込んで、補強ビーム６の取り付けを完了する。
【００３０】
そして、この実施形態は、前記オプション部材５を、下端部を構成するオプション取付具５２と、このオプション取付具５２を利用して取り付けられるオプション部材本体たるカウンター天板５１とを具備してなるものにし、オプション取付具５２の他の一部を補強ビーム６にねじｖ３を用いてねじ止め固定し、オプション取付具５２の一部を、当該一部にねじ込んだねじｖ２の押し付け力を利用して後フレーム２２に締め付け固定するようにしている。
【００３１】
カウンター天板５１は、天板３の後端側の縁部近傍より上方に起立して配置される左右一対の支柱５３（図１、図３参照）の上端部に取り付けられているもので、支柱５３の下端側の内部にはナット５３aが収容してある。また、支柱５３の前面側には、上端部に前記カウンター天板５１の他の部位を取り付けた補助支柱５４が一体的に設けてあり、この補助支柱５４の下端側にもナット５４aが収容してある。図、図２において符号５０で示すものは、左右の支柱５３間に配置された目隠しパネルである。
【００３２】
また、オプション取付具５２は、図４及び図７に示すように、対向片たる上片５２a及び下片５２ｂと、これら上下片５２a、５２ｂ間を連結する側片５２ｃとを具備し、上片５２a、下片５２ｂ及び側片５２ｃの間にチャネル部５２ｘを形成してなるもので、チャネル部５２ｘの上下内法寸法を後フレーム２２の上下寸法よりも若干大きい値に設定するとともに、上片５２aは下片５２ｂよりも長尺で肉厚方向に貫通する対をなす段付きのねじ通過孔５２ｄ及び下端側に開口するねじ孔５２ｅを有するのもにし、下片５２ｂは肉厚方向に貫通する対をなすねじ孔５２ｆを有するものにしている。
【００３３】
そして、予め上片５２aのねじ通過孔５２ｄにねじｖ３を通過させ、そのねじｖ３を、上片５２a上に立設した支柱５３及び補助支柱５４のナット５３a、５４aにねじ止めするとともに、この状態で上片５２aを天板３と後フレーム２２との隙間Ｓから天板下空間に挿入して先端を補強ビーム６の上面に添接する部位に位置づけ、かつアングル部５２ｘを後フレーム２２を抱え込む位置に位置づける（図３、図７参照）。そして、下方から補強ビーム６に挿入したねじｖ３を上片５２aのねじ孔５２ｅにねじ止めし、また下方から下片５２ｂのねじ孔５２ｆにねじ込んだねじｖ２の先端を後フレーム２２とオプション取付具５２との間に介在させたアングル金具７を介して後フレーム２２の底壁２ｂに押し付け、これによりねじｖ２と上片５２aとで該チャネル部５２ｘを後フレーム５２に締め付け固定するようにしている。
【００３４】
以上のように、この実施形態のオプション取付構造は、天板３を支持するフレーム構造体２に、本体部であるカウンター天板５１が天板３の上方へ突出した位置に配置されるオプション部材５を取り付けるようにしたものである。そして、その際に、対をなす平行な後フレーム２２，中間フレーム２３が存在するフレーム構造体２の構成に着目して、後フレーム２２にオプション部材５の下端部５２の一部を取り付けると共に、これらフレーム２２，２３間に補強ビーム６を架設して、この補強ビーム６にオプション部材５の下端部５２の他の一部を取り付けるようにしたものである。
【００３５】
このため、オプション部材５の荷重は、後フレーム２２及び補強ビーム６の２ヶ所において支持されることになり、カウンター天板５１に偏荷重が作用しても、フレームの１ヶ所にねじり力が局所的に集中することを回避し、ねじり剛性を有効に高めて、オプション取付強度の向上及びフレーム構造体２の本来的機能の確保を実効あらしめることができる。
【００３６】
具体的な構造として、後フレーム２２及び中間フレーム２３は、対向壁である側壁２ｃにレール溝２ｆを連続開口させたものであり、その構造を積極的に利用して、レール溝２ｆを通過し且つレール溝２ｆに沿って移動可能な位置に可動ナット６１を配置するとともに、この可動ナット６１の内方端側をレール溝２ｆから抜脱し得ないように裏当材６２により支持し、その可動ナット６１に補強ビーム６の対応端部６aをねじ止めすることによって、補強ビーム６の端部６aと裏当材６２との間に側壁２ｃを挟み込んだ状態で補強ビーム６を取り付け得るようにしている。このため、レール溝２ｆに沿って補強ビーム６の取付位置を自由に選択する機能を確保することができ、同時に、フレーム２２，２３に別段の加工を施すことを不要にして、既存の机への適用も極めて容易ならしめることができる。
【００３７】
具体的に本実施形態は、補強ビーム６の端部６aに鍔状の取付板部６０を形成し、この取付板部６０の２ヶ所をレール溝２ｆに配置した可動ナット６１にねじ止めするようにしているものであるが、その際に、レール溝２ｆの開口縁部間に、前記取付板部６０のねじ止め箇所の対応位置にナット通過孔６３aを有する位置決め板６３を収容し、そのナット通過孔６３aに可動ナット６１を通過させた状態で、フレーム２２，２３の対向する側壁２ｃ間に補強ビーム６を挿入し、取付板部６０のねじ止め箇所に挿入したねじｖ１を対応位置に位置決めした可動ナット６１にねじ止めするようにしている。このため、補強ビーム６の長手寸法をフレーム２２，２３の対向する側壁２ｃ間の内法寸法に比較的緊密に設定しても、可動ナット６１を的確に位置決めして補強ビーム６を手順良く的確にフレーム２２，２３間に取り付けることができる。
【００３８】
特に、裏当材６２を、レール溝２ｆの開口を通過させた後に所定角度回転させることによって、レール溝２ｆの開口の両側に位置する上下の側壁２ｃの内面に跨がる位置に位置決め状態で配置し得るようにしているため、レール溝２ｆの両端が側フレーム２１により閉じていてもレール溝２ｆ内に裏当材６２を簡単、確実に位置づけることができる。
【００３９】
とりわけ、オプション部材５の下端部たるオプション取付具５２の他の一部を補強ビーム６にねじ止め固定し、オプション取付具５２の一部を、当該一部にねじ込んだねじｖ２の押し付け力を利用して後フレーム２２に締め付け固定するようにしているため、新たに導入するオプション取付具５２や補強ビーム６にさえねじ孔やねじ通過孔を設ければ、既存のフレーム構造体２にはねじ孔などの別段の加工を施すことが不要になり、オプション部材を極めて簡易に取り付けるための取付構造を提供でき、また、随所にオプション部材を位置変更して取り付けても後フレーム２２に多数の孔が開口して以降の取付に支障が生じるといった不都合も有効に回避することが可能になる。
【００４０】
すなわち、基本的にはオプション取付具５２は補強ビーム６にねじ止めされるため、後フレーム２２に対してさほど強固に固定することは不要である。このため、上記のようにオプション取付具５２の一部を、後フレーム２２を抱え込むようなチャネル部５２ｘを有するものにして、そのチャネル部５２ｘを構成する下片５２ｂにねじ込んだねじｖ２をチャネル部５２ｘ内に収容した後フレーム２２に押し付け、ねじｖ２と上片５２aとで該チャネル部５２ｘを後フレーム２に締め付け固定するという簡易な構造を採用しても、そしてねじｖ２を指で締める程度に締め付けるだけであっても、オプション取付具５２を所定位置に的確に配置することが可能になる。
【００４１】
さらに、上記のようにオプション部材５の下端部５２が、オプション部材本体であるカウンター天板５１に対して着脱可能なオプション取付具５２により構成してあるため、オプション部材５全体をフレーム構造体２に取り付ける際の取付作業の便を有効に高めることができる。
【００４２】
また、天板３とフレーム構造体２の間に隙間Ｓを形成し、この隙間Ｓを介して、オプション部材５の下端部５２をフレーム構造体２の後フレーム２２に支持させる位置に挿入し得るようにしているため、オプション取付具５２を複雑な形状のものにする必要がなく、外部からの簡単な作業でこのオプション取付具５２を所定位置に的確にセッティングすることが可能になる。
【００４３】
以上のような構成であるから、本実施形態のオプション取付構造は、偏荷重が大きく作用する可能性のあるカウンター天板５１付きのオプション部材５を支持する構造として極めて有用なものとなり得る。
【００４４】
なお、各部の具体的な構成は、上述した実施形態のみに限定されるものではない。例えば、図８に示すように、可動ナット１６１を扁平な外形を有するものにする一方、取付板部１６０のねじ止め箇所に、入口が可動ナット１６１の短軸側の外形寸法にほぼ対応し内方端が可動ナットの長軸側の外形寸法にほぼ対応する切欠孔１６０aを設け、フレーム２２，２３の対向する側壁２ｃ間に補強ビーム６を挿入した状態で、各取付板部１６０の切欠孔１６０aの入口から可動ナット１６１を挿入し内方端で回転させて、その可動ナット１６１に対してねじ止め作業を行うように構成することも有効である。このようにすれば、フレーム２２，２３の対向する側壁２ｃ間に補強ビーム６を挿入した後、可動ナット１６１を裏当材１６２を付帯させた状態で切欠１６０aに係合させることができるので、取付作業の便をより有効に向上させることができ、また前記実施形態の位置決め用板６３が不要になるため、部品点数の削減も図ることが可能となる。
【００４５】
その他の構成も、本発明の趣旨を逸脱しない範囲で種々変形が可能である。
【００４６】
【発明の効果】
本発明は、以上説明したような形態で実施され、以下に記載される効果を奏する。
【００４７】
すなわち、本発明のオプション取付構造は、天板を支持するフレーム構造体に、オプション部材本体が天板の上方へ突出した位置に配置されるオプション部材を取り付けるにあたり、フレーム構造体の対をなす平行なフレームの一方にオプション部材の下端部の一部を取り付け、両フレーム間に架設した補強ビームにオプション部材の下端部の他の一部を取り付けるようにしたものである。
【００４８】
このため、オプション部材の荷重をフレームと補強ビームの２ヶ所において支持することができ、オプション部材本体に偏荷重が作用しても、フレームの１ヶ所にねじり力が局所的に集中することを回避し、これによりねじり剛性を有効に高めて、オプション取付強度の向上及びフレーム構造体の本来的機能の確保を共に実効あるものにすることが可能となる。
【００４９】
具体的な構造として、各フレームが、対向壁にレール溝を連続開口させたものであり、そのレール溝を通過し且つレール溝に沿って移動可能な位置に可動ナットを配置するとともに、この可動ナットの内方端側をレール溝から抜脱し得ないように裏当材により支持し、その可動ナットに補強ビームの対応端部をねじ止めすることによって、補強ビームの端部と裏当材との間に起立壁を挟み込んだ状態で補強ビームを取り付け得るようにした場合には、レール溝に沿って補強ビームの取付位置を自由に選択する機能を確保することができ、同時に、フレーム等に別段の加工を施すことを不要にして、既存の机への適用も極めて容易ならしめることができる。
【００５０】
特に、補強ビームの端部に鍔状の取付板部を形成し、この取付板部の２ヶ所をレール溝に配置した可動ナットにねじ止めするように構成する場合に、レール溝の開口縁部間に、前記取付板部のねじ止め箇所の対応位置にナット通過孔を有する位置決め板を収容し、そのナット通過孔に可動ナットを通過させた状態で、フレームの対向壁間に補強ビームを挿入し、取付板部のねじ止め箇所に挿入したねじを対応位置に位置決めした可動ナットにねじ止めするようにした場合には、補強ビームの長手寸法をフレームの対向壁間の内法寸法に比較的緊密に設定しても、可動ナットを的確に位置決めして補強ビームを手順良く的確にフレーム間に取り付けることができる。
【００５１】
或いは、可動ナットを扁平な外形を有するものにする一方、取付板部のねじ止め箇所に、入口が可動ナットの短軸側の外形寸法にほぼ対応し内方端が可動ナットの長軸側の外形寸法にほぼ対応する切欠孔を設け、フレームの対向壁間に補強ビームを挿入した状態で、各取付板部の切欠孔の入口から可動ナットを挿入し内方端で回転させて、その可動ナットに対してに挿入したねじを対応位置に位置決めされた可動ナットにねじ止めするようにした場合には、フレームの対向壁間に補強ビームを挿入した後に、可動ナットを裏当材を付帯させた状態で切欠孔に係合させることができるので、取付作業の便をより有効に向上させることができ、また部品点数の削減も有効に図ることが可能となる。
【００５２】
裏当材を、レール溝の開口を通過させた後に所定角度回転させることによって、レール溝の開口の両側に位置する上下の起立壁の内面に跨がる位置に位置決め状態で配置し得るようにした場合には、レール溝の両端が閉じていてもレール溝内に裏当材を簡単、確実に位置づけることができる。
【００５３】
オプション部材の下端部の他の一部を補強ビームにねじ止め固定し、下端部の一部を、当該一部にねじ込んだねじの押し付け力を利用してフレームに締め付け固定するようにした場合には、既存のフレーム構造体にはねじ孔などの別段の加工を施すことが不要になり、オプション部材を極めて簡易に取り付けるための取付構造を提供できると共に、随所にオプション部材を位置変更して取り付けてもフレームに支障が生じる等の都合を有効に回避することが可能になる。
【００５４】
オプション部材の下端部の一部を、フレームを抱え込むようなチャネル部を有するものにし、そのチャネル部を構成する一方の対向片にねじ込んだねじをチャネル部内に収容したフレームに押し付けて、ねじと他方の対向片とで該チャネル部をフレームに締め付け固定するようにした場合には、簡易な構造かつ簡素な取り付け作業であっても、オプション部材の下端部の的確な取り付け状態を実現することが可能となる。
【００５５】
オプション部材の下端部を、オプション部材本体に対して着脱可能なオプション取付具により構成した場合には、全体を一体的に構成している場合に比べて、取り付けの段取りを始め、取り付けに係る作業、取り扱いの便などを有効に向上させることが可能となる。
【００５６】
天板とフレーム構造体の間に隙間を形成し、この隙間を介して、オプション部材の下端部をフレーム構造体のフレームに支持させる位置に挿入し得るようにした場合には、外部からの作業で天板下に位置するフレーム構造体にオプション部材の下端部を容易に取り付けることが可能となる。
【００５７】
あるいは、天板の先端を若干後退させフレーム上端を露出させたり、オプション部材のフレーム上端固定部の天板を切り欠いたり、さらには、取付け部分の天板木口の下角を部分的に切り欠きかつねじ固定部のみキャップをかぶせる等の処理をすることにより、ごく一般的な意匠のデスクにも適用することができる。
【００５８】
本発明は、以上説明したような構成であるから、カウンター天板をオプション部材本体とするオプション部材に適用して極めて有用であり、その他、倒れ荷重の作用する各種のオプション部材に効果的に適用することが可能となる。
【図面の簡単な説明】
【図１】本発明の一実施形態を示す全体斜視図。
【図２】同実施形態を天板を取り除いて示す斜視図。
【図３】同実施形態の側断面図。
【図４】同実施形態の要部分解斜視図。
【図５】同実施形態の補強ビーム取り付け手順を説明するための図。
【図６】同実施形態の補強ビームを取り付けた状態を示す断面図。
【図７】同実施形態のオプション部材の下端部を取り付けた状態を示す断面図。
【図８】本発明の他の実施形態を示す分解斜視図。
【符号の説明】
２…フレーム構造体
２ｃ…対向壁（側壁）
２ｆ…レール溝
３…天板
５…オプション部材
６…補強ビーム
２２…後フレーム
２３…中間フレーム
５１…オプション部材本体（カウンター天板）
５２…下端部（オプション取付具）
５２a…対向片（上片）
５２ｂ…対向片（下片）
５２ｘ…チャネル部
６０…取付板部
６１…可動ナット
６２…裏当材
１６０…取付板部
１６１…可動ナット
１６２…裏当材
Ｓ…隙間
【図１】
0004437377.tif 000002
【図２】
0004437377.tif 000003
【図３】
0004437377.tif 000004
【図４】
0004437377.tif 000005
【図５】
0004437377.tif 000006
【図６】
0004437377.tif 000007
【図７】
0004437377.tif 000008
【図８】
0004437377.tif 000009